(57)【要約】【課題】スキャン処理される施設案内画像の利用目的に応じた画像加工処理を実現する。【解決手段】画像データ取得部１１０は、施設の案内情報を含む施設案内画像をスキャン処理することにより得られる画像データを取得する。画像解析部１２０は、画像データに対する画像解析処理により、施設案内画像に含まれる施設の案内情報を抽出する。処理対象選択部１３０は、抽出された施設の案内情報の中から、施設案内画像の利用目的に応じた処理対象を選択する。画像加工処理部１５０は、画像データに対して、施設案内画像の利用目的に応じた画像加工処理を実行する。画像加工処理部１５０は、画像データに対して、注目施設の案内情報を強調する画像加工処理を実行する。【選択図】図１
2019215695.tif 000002
【特許請求の範囲】
【請求項１】
施設の案内情報を含む施設案内画像をスキャン処理することにより得られる画像データを取得する手段と、
前記画像データに対して前記施設案内画像の利用目的に応じた画像加工処理を実行する手段と、
を有する画像処理装置。
【請求項２】
請求項１に記載の画像処理装置において、
前記画像データに対する画像解析処理により前記施設案内画像に含まれる施設の案内情報を抽出する手段と、
抽出された施設の案内情報の中から前記施設案内画像の利用目的に応じた注目施設の案内情報を選択する手段と、
をさらに有し、
前記画像データに対して前記注目施設の案内情報を強調する前記画像加工処理を実行する、
ことを特徴とする画像処理装置。
【請求項３】
請求項２に記載の画像処理装置において、
災害時の避難場所を示す避難場所情報を取得する手段をさらに有し、
前記施設案内画像の利用目的に応じた注目施設の案内情報として前記避難場所に対応した施設の案内情報を選択し、前記画像データに対して前記避難場所に対応した施設の案内情報を強調する前記画像加工処理を実行する、
ことを特徴とする画像処理装置。
【請求項４】
請求項２または３に記載の画像処理装置において、
災害時の危険箇所を示す危険箇所情報を取得する手段をさらに有し、
前記画像データに対して前記危険箇所に対応した場所を表示する前記画像加工処理を実行する、
ことを特徴とする画像処理装置。
【請求項５】
コンピュータに、
施設の案内情報を含む施設案内画像をスキャン処理することにより得られる画像データを取得する機能と、
前記画像データに対して前記施設案内画像の利用目的に応じた画像加工処理を実行する機能と、
を実現させるプログラム。
【発明の詳細な説明】
【技術分野】
【０００１】
本発明は、画像処理装置およびプログラムに関する。
【背景技術】
【０００２】
特許文献１には、観光案内情報を補足するための付加情報に対応する情報識別子を記憶したバーコードを備えた観光案内書が記載されている。
【０００３】
また、特許文献２には、災害発生時に災害の状況を示す地図データを記憶し、現在の地図に重ねてわかり易く表示し、また、災害が解消した後は新たな地図データを更新することなく、災害の種類に応じてもとの地図データに戻す災害時地図更新方式が記載されている。
【先行技術文献】
【特許文献】
【０００４】
【特許文献１】特開２００４−０５４４６５号公報
【特許文献２】特開２００９−２７６２５５号公報
【発明の概要】
【発明が解決しようとする課題】
【０００５】
観光地などで提供される観光マップには、例えばその観光地にある施設の案内情報を含む施設案内画像などが掲載される。しかし、観光マップは主に観光目的で作成されているため、例えば観光マップに掲載される施設案内画像を観光目的とは異なる利用目的で利用しようとすると不便な場合がある。例えば観光マップなどの掲載物に掲載される施設案内画像を当初の目的とは異なる利用目的でも利用しやすくする技術の登場が期待される。
【０００６】
本発明の目的は、スキャン処理される施設案内画像の利用目的に応じた画像加工処理を実現することにある。
【課題を解決するための手段】
【０００７】
請求項１に係る発明は、施設の案内情報を含む施設案内画像をスキャン処理することにより得られる画像データを取得する手段と、前記画像データに対して前記施設案内画像の利用目的に応じた画像加工処理を実行する手段と、を有する画像処理装置である。
【０００８】
請求項２に係る発明は、請求項１に記載の画像処理装置において、前記画像データに対する画像解析処理により前記施設案内画像に含まれる施設の案内情報を抽出する手段と、抽出された施設の案内情報の中から前記施設案内画像の利用目的に応じた注目施設の案内情報を選択する手段と、をさらに有し、前記画像データに対して前記注目施設の案内情報を強調する前記画像加工処理を実行することを特徴とする画像処理装置である。
【０００９】
請求項３に係る発明は、請求項２に記載の画像処理装置において、災害時の避難場所を示す避難場所情報を取得する手段をさらに有し、前記施設案内画像の利用目的に応じた注目施設の案内情報として前記避難場所に対応した施設の案内情報を選択し、前記画像データに対して前記避難場所に対応した施設の案内情報を強調する前記画像加工処理を実行することを特徴とする画像処理装置である。
【００１０】
請求項４に係る発明は、請求項２または３に記載の画像処理装置において、災害時の危険箇所を示す危険箇所情報を取得する手段をさらに有し、前記画像データに対して前記危険箇所に対応した場所を表示する前記画像加工処理を実行することを特徴とする画像処理装置である。
【００１１】
請求項５に係る発明は、コンピュータに、施設の案内情報を含む施設案内画像をスキャン処理することにより得られる画像データを取得する機能と、前記画像データに対して前記施設案内画像の利用目的に応じた画像加工処理を実行する機能と、を実現させるプログラムである。
【発明の効果】
【００１２】
請求項１に係る発明により、スキャン処理される施設案内画像の利用目的に応じた画像加工処理が実現される。
【００１３】
請求項２に係る発明により、利用目的に応じた施設の案内情報が目立つようになる。
【００１４】
請求項３に係る発明により、避難場所に対応した施設の案内情報が目立つようになる。
【００１５】
請求項４に係る発明により、危険箇所に対応した場所が分かるようになる。
【００１６】
請求項５に係る発明により、スキャン処理される施設案内画像の利用目的に応じた画像加工処理を実現するプログラムが提供される。
【図面の簡単な説明】
【００１７】
【図１】画像処理装置の具体例を示す図である。
【図２】画像処理装置が実行する処理の具体例を示す図である。
【図３】参照情報の具体例を示す図である。
【図４】危険箇所に対応した場所を表示する画像加工処理の具体例を示す図である。
【発明を実施するための形態】
【００１８】
図１は、本発明の具体的な実施態様の一例を示す図である。図１には、画像処理装置１００の具体例が図示されている。図１に示す具体例において、画像処理装置１００は、画像データ取得部１１０と画像解析部１２０と処理対象選択部１３０と参照情報取得部１４０と画像加工処理部１５０を備えている。
【００１９】
画像データ取得部１１０は、施設の案内情報を含む施設案内画像をスキャン処理することにより得られる画像データ（文字や数字や記号のみの画像に関する画像データを含む）を取得する。施設の案内情報は、施設についての案内として用いられるその施設に関する情報である。施設の案内情報の具体例には、例えば、その施設を識別（他の施設と区別）する情報などが含まれる。また、施設の案内情報の具体例には、例えば、施設の名称、施設の場所、施設の連絡先、施設の用途、施設までの経路などのうちの少なくとも一つが含まれる。
【００２０】
画像データ取得部１１０は、例えばスキャナなどにより施設案内画像をスキャン処理することにより得られる画像データを取得する。そのスキャン処理は、画像処理装置１００が実行してもよいし、画像処理装置１００とは異なる外部装置が実行してもよい。
【００２１】
画像解析部１２０は、画像データ取得部１１０が取得した画像データに対して画像解析処理を実行する。画像解析部１２０が実行する画像解析処理として、公知の解析処理が利用されてもよい。例えば光学文字認識などの解析処理が利用されてもよい。画像解析部１２０は、例えば、画像データに対する画像解析処理により、施設案内画像に含まれる施設の案内情報を抽出する。
【００２２】
処理対象選択部１３０は、画像解析部１２０によって抽出された施設の案内情報の中から、施設案内画像の利用目的に応じた処理対象を選択する。処理対象選択部１３０は、例えば、施設案内画像の利用目的に応じた注目施設の案内情報を処理対象として選択する。
【００２３】
参照情報取得部１４０は、施設案内画像の利用目的に応じた参照情報を取得する。例えば、施設案内画像の利用目的が災害時への対応であれば、国や自治体などから提供される災害関連情報などが参照情報として取得されてもよい。また、例えば、施設案内画像の利用目的が観光名所などの紹介であれば、それら観光名所などの参照情報が取得されてもよい。また、例えば、施設案内画像の利用目的が何らかの行事や催し物の案内であれば、その行事や催し物に関する参照情報が取得されてもよい。
【００２４】
画像加工処理部１５０は、画像データ取得部１１０が取得した画像データに対して、施設案内画像の利用目的に応じた画像加工処理を実行する。画像加工処理部１５０は、画像データに対して、例えば、注目施設の案内情報を強調する画像加工処理を実行する。画像加工処理部１５０は、例えば、注目施設の案内情報を直接的に強調する画像加工処理を実行してもよいし、注目施設以外の情報を目立たないように処理することにより注目施設の案内情報を間接的に強調する画像加工処理を実行してもよい。
【００２５】
こうして、画像加工処理後の画像データが得られる。さらに、例えば、画像加工処理後の画像データに対応した画像が用紙などの媒体に印刷されてもよいし、画像加工処理後の画像データがスマートフォンやタブレットなどの端末装置に提供されて、その端末装置が備えるディスプレイなどにその画像データの画像が表示されてもよい。
【００２６】
図１に例示する画像処理装置１００の具体例の一つが印刷機能とスキャナ機能とコピー機能などの複数の画像出力機能を備えた複合型の装置である。例えば、画像処理装置１００が複合型の装置であれば、企業や学校などに設置されてその企業や学校の顧客に利用されてもよいし、コンビニエンスストアなどの店舗に設置されて不特定多数の顧客に利用されてもよい。
【００２７】
また、図１の画像処理装置１００は例えばコンピュータを利用して実現されてもよい。そのコンピュータは、ＣＰＵ等の演算デバイス、メモリやハードディスク等の記憶デバイス、インターネット等の通信回線を利用する通信デバイス、光ディスクや半導体メモリやカードメモリ等の記憶媒体からデータを読み取りデータを書き込むデバイス、ディスプレイ等の表示デバイス、ユーザから操作を受け付ける操作デバイス等のハードウェア資源を備えている。
【００２８】
そして、例えば、図１に示す画像処理装置１００が備える符号を付した複数部分のうちの少なくとも一部の機能に対応したプログラム（ソフトウェア）がコンピュータに読み込まれ、そのコンピュータが備えるハードウェア資源と読み込まれたソフトウェアとの協働により、画像処理装置１００が備える少なくとも一部の機能がコンピュータにより実現される。そのプログラムは、例えば、インターネット等の通信回線を介してコンピュータ（画像処理装置１００）に提供されてもよいし、光ディスクや半導体メモリやカードメモリ等の記憶媒体に記憶されてコンピュータ（画像処理装置１００）に提供されてもよい。
【００２９】
図１に示す画像処理装置１００の全体構成は以上のとおりである。次に、図１の画像処理装置１００により実現される機能等について詳述する。なお、図１に示した構成（部分）については以下の説明において図１の符号を利用する。
【００３０】
図２は、画像処理装置１００が実行する処理の具体例を示す図である。図２に例示する入力画像は、スキャン処理される施設案内画像の具体例である。図２に示す具体例において、入力画像（施設案内画像）内には、飲食店，観光，買い物などのジャンルに対応した複数の施設に関する案内情報が含まれている。図２に例示する入力画像内には、施設の名称や連絡先を文字で示す案内情報と施設の場所を地図で示す案内情報が含まれている。
【００３１】
例えば、図２に例示する入力画像（施設案内画像）をスキャン処理することにより得られる画像データが取得されると、その画像データに対して画像解析部１２０が画像解析処理を実行する。画像解析部１２０は、例えば、画像データに対する画像解析処理により、施設案内画像に含まれる施設（ランドマークとなる建物などを含む）の案内情報を抽出する。
【００３２】
図２に例示する入力画像の画像データに対する画像解析処理であれば、例えば公知の文字認識により、入力画像内に文字で示される複数の施設の名称と連絡先（電話番号やメールアドレスなど）の情報が得られる。
【００３３】
また、画像解析部１２０は、施設案内画像に含まれる地図などの画像領域内に示される文字を認識して、その文字の近くにある画像またはその文字を内包する画像を、その文字に対応した施設として抽出してもよい。図２に例示する入力画像の画像データに対する画像解析処理であれば、例えば、地図内に示される「市役所」の文字が認識され、その文字の位置に最も近い矩形の図形が「市役所」に対応した図形として抽出される。なお、「市役所」という文字を内部に含む図形があれば、その図形が「市役所」に対応した図形として抽出されてもよい。
【００３４】
施設案内画像に含まれる施設の案内情報が抽出されると、処理対象選択部１３０は、抽出された施設の案内情報の中から施設案内画像の利用目的に応じた処理対象を選択する。処理対象選択部１３０は、例えば、施設案内画像の利用目的に応じた注目施設の案内情報を処理対象として選択する。
【００３５】
例えば、図２に例示する入力画像（施設案内画像）に関する当初の利用目的が観光案内であり、その利用目的が災害用マップに変更される場合であれば、図２の入力画像内で抽出された複数の施設に関する案内情報の中から、例えば災害時の避難場所となる「市役所」が注目施設とされ、注目施設の案内情報として「市役所」に対応した案内情報が処理対象として選択される。
【００３６】
処理対象が選択されると、画像加工処理部１５０は、画像データ取得部１１０が取得した画像データに対して、施設案内画像の利用目的に応じた画像加工処理を実行する。画像加工処理部１５０は、画像データに対して、例えば、処理対象として選択された注目施設の案内情報を強調する画像加工処理を実行する。画像加工処理部１５０は、例えば、注目施設の案内情報を直接的に強調する画像加工処理を実行してもよいし、注目施設以外の情報を目立たないように処理することにより注目施設の案内情報を間接的に強調する画像加工処理を実行してもよい。
【００３７】
画像加工処理部１５０が実行する画像加工処理の具体例には、色変換処理，文字列強調処理，塗りつぶし処理，文字列追加処理などの処理が含まれる。
【００３８】
色変換処理では、例えば、処理対象の画像部分を色づけ処理して処理対象を強調する処理や、処理対象以外の画像部分を減色することにより処理対象を目立たせる処理などが実行される。文字列強調処理では、例えば、処理対象に関する文字列のフォントの種類，文字色，文字の大きさなどを変更して処理対象の文字列を強調する処理などが実行される。
【００３９】
塗りつぶし処理では、例えば、処理対象以外の画像部分を塗りつぶすことにより、処理対象以外の画像部分が目立たないようにする処理などが実行される。そして、文字列追加処理では、例えば、利用目的の変更により新たに必要と判断される文字列を追加する処理などが実行される。
【００４０】
例えば、図２に例示する入力画像の画像データに対する画像加工処理であれば、色変換処理により地図内の市役所に対応した矩形の図形が強調され、色変換処理により市役所以外の施設に対応した文字列が減色される。なお、塗りつぶし処理により市役所以外の施設に対応した文字列を目立たないようにしてもよい。また、文字列強調処理により市役所とその連絡先の文字列が強調され、文字列追加処理により「災害避難所マップ」の文字列が追加される。
【００４１】
こうして、画像加工処理後の画像データが得られる。例えば、図２に例示する入力画像（施設案内画像）の画像データに対する画像加工処理であれば、画像加工処理後の施設案内画像として、図２に例示する出力画像に対応した画像データが得られる。
【００４２】
また、施設案内画像の利用目的に応じた参照情報が取得されていれば、処理対象の選択と画像加工処理においてその参照情報が利用されてもよい。
【００４３】
図３は、参照情報の具体例を示す図である。参照情報の具体例には、例えば、国や自治体などから提供される避難場所情報や危険箇所情報などの災害関連情報が含まれる。図３には避難場所情報と危険箇所情報の具体例が図示されている。
【００４４】
例えば、図２に例示する入力画像（施設案内画像）の画像データに対する画像解析処理で、「市役所」の案内情報が抽出されている場合であれば、参照情報取得部１４０は、その「市役所」に対応した自治体（市）から災害関連情報を取得するようにしてもよい。図２に示す「市役所」に対応した自治体から得られる災害関連情報の具体例が図３に例示する避難場所情報と危険箇所情報である。
【００４５】
図３に例示する避難場所情報では、避難場所として「北公民館」「南公民館」「市役所」が含まれている。これらの避難場所のうち「市役所」が図２に例示する入力画像（施設案内画像）に含まれている。参考情報として、例えば図３に例示する避難場所情報が得られている場合に、処理対象選択部１３０は、図２に例示する入力画像（施設案内画像）の画像データ内で抽出された施設の中から、図３の避難場所情報で避難場所として指定されている市役所を注目施設として選択してもよい。
【００４６】
また、画像加工処理部１５０による画像加工処理に参照情報が利用されてもよい。例えば、参考情報の具体例である図３に例示する避難場所情報には、避難場所として指定される市役所の電話番号が含まれている。一方、図２に例示する入力画像の画像データ内で抽出される文字列の中にも、同じ市役所の電話番号が含まれている。この場合に、図２の画像データ内に含まれる電話番号の数字（０ｘｘｘｘｘ）を強調する処理が実行されてもよい。
【００４７】
このように、参考情報に含まれる電話番号などの連絡先が施設案内画像にも含まれている場合に、施設案内画像に含まれるその連絡先を強調する画像加工処理が実行されてもよい。なお、参考情報に示される連絡先が施設案内画像内に含まれていない場合には、その連絡先を施設案内画像内に追加する画像加工処理が実行されてもよい。
【００４８】
また、例えば、参照情報の具体例である図３に例示する危険箇所情報では、危険とされる条件に応じて通行止めとなる道路の情報が含まれている。そこで、例えば、画像加工処理の対象となる画像データ内に危険箇所情報に対応した危険箇所がある場合に、その危険箇所に対応した場所を表示する画像加工処理が実行されてもよい。
【００４９】
図４は、危険箇所に対応した場所を表示する画像加工処理の具体例を示す図である。図４に例示する入力画像は、スキャン処理される施設案内画像の具体例である。図４に例示する入力画像の地図内には「県道ＢＢ号線」と「国道ＡＡ号線」が示されている。
【００５０】
例えば、図４に例示する入力画像（施設案内画像）の画像データが処理の対象となる場合に、画像解析部１２０は、図４の入力画像の地図内に含まれる「県道ＢＢ号線」と「国道ＡＡ号線」の文字を認識し、「県道ＢＢ号線」の文字の位置に最も近い線状の図形を「県道ＢＢ号線」に対応した道路の図形として抽出し、また「国道ＡＡ号線」の文字の位置に最も近い線状の図形を「国道ＡＡ号線」に対応した道路の図形として抽出する。
【００５１】
図３に例示した危険箇所情報には、通行止めとなる道路として「県道Ｃ９９号」「県道Ｘ８号」「県道ＢＢ号」が含まれている。これらの通行止めとなる道路のうち「県道ＢＢ号」が、図４の入力画像の地図内に含まれる「県道ＢＢ号線」に対応している。
【００５２】
そこで、参考情報として例えば図３に例示する危険箇所情報が得られている場合に、画像加工処理部１５０は、図４に例示する入力画像（施設案内画像）の画像データ内における「県道ＢＢ号線」に対応した画像部分を減色して（塗りつぶし又は消去でもよい）、その画像部分に対応した箇所が危険箇所であることを知らせる文字や記号などの表示を追加する。これにより、画像加工処理後の施設案内画像として、例えば、図４に例示する出力画像が得られる。
【００５３】
なお、図４に例示する入力画像の地図内に含まれる「県道ＢＢ号線」以外の道路については、図３に例示する危険箇所情報により通行止めの危険箇所として指定されていない。そこで、図４に例示する入力画像（施設案内画像）の画像データが処理の対象となる場合に、例えば、避難場所である市役所への避難経路として、通行止めに指定されていない道路に対応した画像（線状の図形）を強調する画像加工処理が実行されてもよい。
【００５４】
また、図３，図４を利用した説明では、危険箇所の具体例として通行止めとなる道路を例示したが、危険箇所の具体例には、土砂災害の危険箇所や河川氾濫の危険箇所なども含まれる。
【００５５】
また、施設案内画像の画像データ内に含まれる写真画像を画像解析して、例えば、山や川や海などの画像が掲載されている場合に、発生している災害などに応じて、それらの画像に対して画像加工処理が実行されてもよい。例えば、施設案内画像の画像データ内に山の写真画像が掲載されており、土砂災害の災害関連情報が得られている場合に、その山の写真画像に対して、危険箇所であることを知らせる画像加工処理が実行されてもよい。
【００５６】
以上、本発明の好適な実施形態を説明したが、上述した実施形態は、あらゆる点で単なる例示にすぎず、本発明の範囲を限定するものではない。本発明は、その本質を逸脱しない範囲で各種の変形形態を包含する。
【符号の説明】
【００５７】
１００  画像処理装置、１１０  画像データ取得部、１２０  画像解析部、１３０  処理対象選択部、１４０  参照情報取得部、１５０  画像加工処理部。
【図１】
2019215695.tif 000003
【図２】
2019215695.tif 000004
【図３】
2019215695.tif 000005
【図４】
2019215695.tif 000006